(57)【要約】      （修正有）【課題】赤色反射を観察するための簡単で且つ安価に提供可能な手段を有する、構造高さのできる限り低い立体顕微鏡を提供する。【解決手段】主対物レンズ２と、該主対物レンズ２に後置されたズームシステム７とを備え、主対物レンズ２とズームシステム７の間には、主対物レンズ２から出てゆく観察光線束をズームシステム７内へ偏向させる第１偏向要素３０が設けられていて、ズームシステム７は、実質的に水平方向に延在する拡大及び観察経路７ａ〜７ｄを有する。第１偏向要素３０は部分透過性に形成されていて、第１偏向要素３０と主対物レンズ２を通じて観察すべき対象を照明する第１照明装置４０、５０が設けられている。【選択図】図１
0003165462.tif 000002
【実用新案登録請求の範囲】
【請求項１】
主対物レンズ（２）と、該主対物レンズ（２）に後置されたズームシステム（７）とを備え、主対物レンズ（２）とズームシステム（７）の間には、主対物レンズ（２）から出てゆく観察光線束をズームシステム（７）内へ偏向させる第１偏向要素（３０）が設けられていて、ズームシステム（７）は、実質的に水平方向に延在する拡大及び観察経路（７ａ〜７ｄ）を有する、立体顕微鏡であって、
第１偏向要素（３０）は部分透過性に形成されていて、
第１偏向要素（３０）と主対物レンズ（２）を通じて観察すべき対象を照明する第１照明装置（４０、５０；６０、６５）が設けられていること
を特徴とする立体顕微鏡。
【請求項２】
ズームシステム（７）は、実質的に水平方向に延在する少なくとも３つの拡大及び観察経路（７ａ〜７ｄ）を有すること
を特徴とする、請求項１に記載の立体顕微鏡。
【請求項３】
主対物レンズ（２）は、実質的に垂直方向に延在する光軸線（１１）を有し、部分透過性の第１偏向要素（３０）は、主対物レンズ（２）の光軸線（１１）に対して実質的に４５度の角度で配置されていること
を特徴とする、請求項１又は２に記載の立体顕微鏡。
【請求項４】
第１照明装置（４０、５０；６０、６５）は、第１偏向要素（３０）の上方で、主対物レンズ（２）ないしズームシステム（７）に対して第１偏向要素（３０）の反対側に配置されていること
を特徴とする、請求項１〜３のいずれか一項に記載の立体顕微鏡。
【請求項５】
第１照明装置（４０、５０；６０、６５）は、実質的に主対物レンズ（２）の光軸線（１１）の延長線上に配置されていること
を特徴とする、請求項１〜４のいずれか一項に記載の立体顕微鏡。
【請求項６】
第１照明装置（４０、５０）は、少なくとも１つの発光ダイオードを有すること
を特徴とする、請求項１〜５のいずれか一項に記載の立体顕微鏡。
【請求項７】
第１照明装置（４０、５０；６０、６５）は、少なくとも１つの光トラップ（７０）を有すること
を特徴とする、請求項１〜６のいずれか一項に記載の立体顕微鏡。
【請求項８】
観察すべき対象に対し第１照明装置とは異なった角度での照明を達成することのできる別の照明装置（３）が設けられていること
を特徴とする、請求項１〜７のいずれか一項に記載の立体顕微鏡。
【請求項９】
ズームシステム（７）は、実質的に水平方向に延在する４つの拡大及び観察経路（７ａ〜７ｄ）を有すること
を特徴とする、請求項２に記載の立体顕微鏡。
【請求項１０】
第１照明装置（４０、５０；６０、６５）は、実質的に主対物レンズ（２）の光軸線（１１）の延長線上に該延長線の周りで対称性をもって配置されていること
を特徴とする、請求項５に記載の立体顕微鏡。
【請求項１１】
第１照明装置（４０、５０）は、少なくとも１つのＯＬＥＤを有すること
を特徴とする、請求項６に記載の立体顕微鏡。
【請求項１２】
観察すべき対象に対し６度照明を達成することのできる別の照明装置（３）が設けられていること
を特徴とする、請求項８に記載の立体顕微鏡。
【考案の詳細な説明】
【技術分野】
【０００１】
本考案は、請求項１の上位概念部に記載の立体顕微鏡（ないし実体顕微鏡：Stereomikroskop）、即ち、主対物レンズと、該主対物レンズに後置されたズームシステムとを備え、主対物レンズとズームシステムの間には、主対物レンズから出てゆく観察光線束をズームシステム内へ偏向させる第１偏向要素が設けられていて、ズームシステムは、実質的に水平方向に延在する拡大及び観察経路を有する、立体顕微鏡に関する。
【背景技術】
【０００２】
水平方向に配置されたズームシステムを有する立体顕微鏡は公知である。例えば特許文献１が参照され、そこに記載の立体顕微鏡は、人間工学的な理由から一人の又は複数人の観察者にとって極めて有利である極めて低い構造高さにより特徴付けられている。
【０００３】
更にこの種の立体顕微鏡は、垂直方向に延在する光軸線をもつように形成されている主対物レンズと、実質的に水平方向に延在するないし水平方向に延在する光軸線を有するズームシステムとの間において、垂直方向に延在する観察光線路を水平方向へ向かわせる偏向要素が設けられていることにより特徴付けられている。
【先行技術文献】
【特許文献】
【０００４】
【特許文献１】DE 102 55 960 A1
【考案の概要】
【考案が解決しようとする課題】
【０００５】
この種の配置構成においては、特定の複数の適用に適した照明装置を提供しようとする場合に問題がある。眼科において使用される立体顕微鏡ないし手術用顕微鏡は、例えば観察対象の網膜における赤色反射(Rotreflex)を可視化する可能性を提供すべきである。そのためには、垂直に瞳へ入射する光を設けることが必要不可欠である。この種の光は、所定のスペクトル範囲内で網膜により吸収され、赤色のスペクトル範囲内でのみ反射され、それにより赤色反射が生ずる。
【０００６】
従って本考案の課題は、赤色反射を観察するための簡単で且つ安価に提供可能な手段を有する、構造高さのできる限り低い立体顕微鏡を創作することである。
【課題を解決するための手段】
【０００７】
本考案の一視点により以下の立体顕微鏡が提供される。該立体顕微鏡は、主対物レンズと、該主対物レンズに後置されたズームシステムとを備え、主対物レンズとズームシステムの間には、主対物レンズから出てゆく観察光線束をズームシステム内へ偏向させる第１偏向要素が設けられていて、ズームシステムは、実質的に水平方向に延在する拡大及び観察経路を有する。該立体顕微鏡において、第１偏向要素は部分透過性に形成されていて、第１偏向要素と主対物レンズを通じて観察すべき対象を照明する第１照明装置が設けられている。（形態１：基本構成）
【考案の効果】
【０００８】
本考案の上記基本構成により、上記課題に対応する効果、即ち赤色反射を観察するための簡単で且つ安価に提供可能な手段を有する、構造高さのできる限り低い立体顕微鏡を創作することを達成することができる。更に、上記基本構成に付加的な下記の好ましい各形態により、付加的な効果が各々につき達成される。
【考案を実施するための形態】
【０００９】
以下、本考案に従う立体顕微鏡の好ましい形態を記載する。ここで以下の形態１〜８は、実用新案登録請求の範囲の請求項１〜８（「特に」に関する記載部分は請求項９〜１２）に記載した各々の構成要件にも対応している。
（形態１）前記基本構成を参照。
（形態２）前記形態１の立体顕微鏡において、ズームシステムは、実質的に水平方向に延在する、少なくとも３つ、特には４つの拡大及び観察経路を有することが好ましい。
（形態３）前記形態１又は２の立体顕微鏡において、主対物レンズは、実質的に垂直方向に延在する光軸線を有し、部分透過性の第１偏向要素は、主対物レンズの光軸線に対して実質的に４５度の角度で配置されていることが好ましい。
（形態４）前記形態１〜３のいずれか一形態の立体顕微鏡において、第１照明装置は、第１偏向要素の上方で、主対物レンズないしズームシステムに対して第１偏向要素の反対側に配置されていることが好ましい。
（形態５）前記形態１〜４のいずれか一形態の立体顕微鏡において、第１照明装置は、実質的に主対物レンズの光軸線の延長線上に、特に該延長線の周りで対称性をもって配置されていることが好ましい。
（形態６）前記形態１〜５のいずれか一形態の立体顕微鏡において、第１照明装置は、少なくとも１つの発光ダイオード、特に少なくとも１つのＯＬＥＤを有することが好ましい。
（形態７）前記形態１〜６のいずれか一形態の立体顕微鏡において、第１照明装置は、少なくとも１つの光トラップを有することが好ましい。
（形態８）前記形態１〜７のいずれか一形態の立体顕微鏡において、観察すべき対象に対し第１照明装置とは異なった角度での照明、特に６度照明、を達成することのできる別の照明装置が設けられていることが好ましい。
【００１０】
部分透過性の偏向要素と、該部分透過性の偏向要素及び主対物レンズを通じ、観察すべき対象を照明する照明装置とを本考案に従い提供することにより、極めてコンパクトで安価に提供可能な０度照明（主対物レンズの光軸線に対して０度の照明）を作り出すことができる。この際、特に０度照明の提供のために観察光線束内へ照明用の補助的な偏向要素を取り付けることを省くことができる。また、本考案の枠内で話題とする部分透過性の偏向要素は、任意の分割比率をもつ、即ち反射と透過の比率が任意でよいことを指摘しておく。特に、同じ程度で光を反射し且つ透過する部分透過性の偏向要素を使用することが可能である。
【００１１】
ズームシステムが、実質的に水平方向に延在する、少なくとも３つ、特には４つの拡大及び観察経路を有することが好ましい。それにより、主執刀医用の２つの観察光線路と、助手用の２つの観察光線路とを有する手術用顕微鏡が提供される。０度照明のために本考案に従って設けられている照明装置を用い、特に効果的な方式で、主執刀医のためにも助手のためにも赤色反射を提供することが可能である。従来の手術用顕微鏡は、多くの場合、赤色反射が確かに主執刀医にとっては極めて良好に観察可能であったが、助手にとってはその程度が不十分であるという点で満足のいくものではなかった。ズームシステムが２つだけの拡大及び観察経路を有するという更に簡単な実施形態も考えられる。それによると例えば観察者が一人の場合には立体観察（ステレオスコピック観察）が提供可能であり、観察者が二人の場合には非立体（平面）観察（モノスコピック観察）が提供可能である。
【００１２】
目的に適い、主対物レンズは、実質的に垂直方向に延在する光軸線を有し、この際、部分透過性の偏向要素は、主対物レンズの光軸線に対して実質的に４５度の角度で配置されている。それにより、垂直方向で主対物レンズを通過する光線路から、水平方向に配置されているズーム要素内への偏向が、幾何学的に最適の方式で立体顕微鏡の構造高さの最小化のもと可能となっている
【００１３】
前記照明装置を、部分透過性の偏向要素の上方で、主対物レンズないしズームシステムに対して該偏向要素の反対側に配置することは特に有利である。このことは、対象から出射する観察光線が、部分透過性の偏向要素の第１側面ないし下側面においてズームシステム内へ反射され、それに対し、前記照明装置から出射する光が部分透過性の偏向要素の第２側面ないし上側面に入射し、該偏向要素を部分的に透過し（て観察対象に至り）、（観察対象からの戻り光が）該偏向要素により部分的に反射されることを意味する。
【００１４】
この際、前記照明装置が実質的に主対物レンズの光軸線上ないし該光軸線の延長線上において特に該光軸線ないし該延長線の周りで対称性をもって配置されていることが好ましい。前記照明装置のこの配置構成は、極めて省スペースである。主対物レンズの光軸線の周りの前記照明装置の幾何学的な配置構成は、特に均等で且つ均質な０度照明を可能とし、この際、前記照明装置は好ましくは面光源を含んでいる。
【００１５】
前記照明装置が、少なくとも１つの発光ダイオード、特に有機発光ダイオード（organic LED-OLED）を有していることは特に好ましい。この種の発光ダイオード、特にＯＬＥＤは極めて平坦な構造体を提供可能であり、その結果、顕微鏡本体内の配置構成が、特記すべき構造空間ないし構造高さの拡大を伴うことなく可能である。またＯＬＥＤは面光源の提供にも適している。更に本考案の枠内では、この種の発光ダイオード、特にＯＬＥＤを、同心の円、楕円、多角形、例えば四角形などの形状で配置することも考慮されている。また、エネルギーを用いたこの種の発光ダイオードの選択的な励起（ないし発光させること）も考慮されていて、その結果、任意の面又は任意の構造体を選択的に照明のために使用することができる。例えば、主対物レンズの光軸線の周りに同心で発光ダイオードが配置されている場合には、面照明のために全てのリング状構成部又はリング状構成部の一部にエネルギー供給すること、或いはまた所定のリング状構成部にエネルギー供給することにより、主対物レンズの光軸線に対する所定角度のもとの照明、例えば０度照明、２度照明、又は６度照明を提供することが可能である。
【００１６】
目的に適い、前記照明装置には少なくとも１つの光トラップが付設されている。例えば黒色ガラス要素として形成されているこの種の光トラップは、場合により発生する妨害的な光反射を最小化ないし回避することができる。この種の黒色ガラス要素に対して選択的に又は追加的に他の高吸収性要素を使用することもでき、例えばガラス板上に蒸着された高吸収性の特殊コーティングである。
【００１７】
以下、添付の図面に関連し、本考案の好ましい実施例を説明する。尚、以下の実施例は、本考案の理解の容易化のためのものであって、本考案の技術的思想を逸脱しない範囲において、当業者により実施可能な付加や置換、開示された各要素の選択ないし選択的組合せ等を排除することを意図するものではない。また、実用新案登録請求の範囲に付記されている図面参照符号も、専ら本考案の理解の容易化のためのものであり、本考案を以下の実施例に限定するものではないことを付言する。
【図面の簡単な説明】
【００１８】
【図１】本考案に従う立体顕微鏡の好ましい一実施例の全体構造の模式的側面図である。
【図２】本考案に従う立体顕微鏡の別の好ましい一実施例の全体構造の模式的側面図である。
【実施例１】
【００１９】
図１では、本考案に従う立体顕微鏡（ないし実体顕微鏡）の好ましい一実施例の（概要的に図示された）顕微鏡本体が符号１で示されている。本明細書で使われる方向の記載の定義については、図１内の左端が顕微鏡の前面であり、図１内の右端が顕微鏡の背面であるとする。図１を見る者の方に向いた側面は顕微鏡の右側であり、図１を見る者の反対側の側面は顕微鏡の左側である。図示されている立体顕微鏡を用い、対象（特に患者の眼球）１６が観察される。また図示されている立体顕微鏡は、特に眼科用顕微鏡である。
【００２０】
この立体顕微鏡は、本質的な光学コンポーネントとして、主対物レンズ２と、ズームシステム７と、少なくとも１つの（非図示の）鏡胴接眼レンズ系とを有している。
【００２１】
主対物レンズ２とズームシステム７の間には第１偏向要素３０が設けられていて、第１偏向要素３０は、後続の段落で詳細に説明するが、部分透過性に形成されている。ズームシステム７の後には別の偏向要素６ａ、６ｂ、６ｃ、９、１０、並びに光学的な補助コンポーネント８ａ、８ｂ、８ｃが設けられている。
【００２２】
光軸線（主光軸）１１を有する主対物レンズ２では、実質的に鉛直方向において、２つの（一対の）主観察光線束２０ａ、２０ｂ、並びに２つの（一対の）副観察光線束２０ｃ、２０ｄが通過し、これらの光線束は、第１偏向要素３０による適切な（直角の）偏向後に、ズームシステム７の実質的に水平方向に延在する（一対の）主観察経路７ａ、７ｂ並びに（一対の）副観察経路７ｃ、７ｄ内へ各々入射する。
【００２３】
２つの主観察光線束２０ａ、２０ｂは、図１の図面を見る方向では相前後して（重なって）位置し、それにより図１ではこれらの観察光線束のうち１つだけが図示されている。対応することがズームシステム７の観察経路７ａ、７ｂについても当てはまる。目的に適い、４つの主ないし副の観察光線束２０ａ〜２０ｄは主対物レンズ２の光軸線１１の周りで対称（ないし均等）に配分されて位置している。有利にはこれらの観察光線束２０ａ〜２０ｄの共通の軸線は、中心からずれて、即ち光軸線１１と平行に、主対物レンズ２を通過することもできる。対応することがズームシステム７の中心軸線２７にも当てはまり、中心軸線２７の周りには、観察光線束２０ａ〜２０ｄが（それぞれの対称軸に関し）対称性をもって配置されている。ズームシステム７は、観察光線束２０ａ〜２０ｄの配置構成に対応して４つの観察経路を有し、これらは前記のごとく２つの主観察経路７ａ、７ｂ並びに２つの副観察経路７ｃ、７ｄである。
【００２４】
図１から、ズームシステム７の主観察経路７ａ、７ｂは、水平面上に即ち中心軸線２７の高さ（同じ高さ）で延在し、それに対し副観察経路７ｃ、７ｄは、中心軸線２７の上側と下側で互いに垂直方向に離間して延在していることが見てとれる。図示されている配置構成により観察経路７ａ〜７ｄの極めて密なパッキング（ないし詰め込み配置）が実現され、それにより全体として、本考案に従う立体顕微鏡のコンパクトな構造形式が達成可能となっている。
【００２５】
ズームシステム７から光が出射した後には、別の偏向要素６ａにおいて観察光線束２０ａ〜２０ｄの更なる偏向が行われる。
【００２６】
この偏向要素６ａを用い、観察光線束２０ａ〜２０ｄは実質的に再び鉛直方向へ向けられる。引き続きこれらの観察光線束２０ａ〜２０ｄは別の偏向要素６ｂに入射し、この偏向要素６ｂを用い、水平方向（但しズームシステム７内の光の進行方向とは逆方向：逆平行）への新たな偏向が行われ、それにより、場合により、オプションとして設けられ、まとめて符号８ｃで示されている別の光学コンポーネントを通過した後に、偏向要素９に入射することになる。偏向要素９の機能については後続の段落で説明する。ここで、偏向要素６ａ及び／又は偏向要素６ｂは部分透過性をもってないし光学的な光線分割器（ないしビームスプリッタ）として形成することができ、それにより、符号１５、１７、１８で示されている観察軸線が定義可能であることを指摘しておく。この際、観察軸線１８の定義のためには、図１及び図２で図示されているように、別の偏向要素６ｃも使用される。観察軸線１５、１８は、目的に適い、顕微鏡の前面に対する（水平面内での角度）１８０度ポジションでの助手用観察の枠内で利用することができ、この際、対象１６と観察軸線１８の間の鉛直方向の間隔は、対象１６と観察軸線１５の間の鉛直方向の間隔よりも大きい。
【００２７】
しかし、これらの観察軸線１５、１８は単にオプションとして実現されていることを指摘しておく。主観察者（例えば主執刀医）ないし副観察者（例えば助手）のために好ましい観察軸線は、図示されている実施例に従い、符号１７又は２３で示されていて、これらについては後続の段落で更に説明する。
【００２８】
主観察者２１ないし副観察者２２のための、観察にとって必要不可欠な両眼鏡胴及び接眼レンズは、図面の見易さのために、軸線１５、１７、１８、２３においては図示されていない。
【００２９】
偏向要素６ｂを用いて水平方向へ偏向された観察光線束２０ａ〜２０ｄは、上述のごとく偏向要素９に入射する。偏向要素９は、一方の（一対の）観察光線束２０ｃ、２０ｄだけを偏向するように形成されていて、それに対し他方の（一対の）観察光線束２０ａ、２０ｂは偏向されずに偏向要素９を通過し、観察軸線１７における（非図示の）両眼鏡胴に入射する。
【００３０】
偏向要素９は、例えば、一方の観察光線束２０ｃ、２０ｄが鏡面化領域に入射し、他方の観察光線束２０ａ、２０ｂが非鏡面化領域に入射するように形成されている。例えば、偏向要素９を、主観察光線束２０ａ、２０ｂのための適切な穴（ないし光通過部分）を有するミラーとして形成することができる。
【００３１】
この種の（偏向／透過の選択性）偏向要素９の使用により、光強度の損失を伴うことなく、主観察光線束２０ａ、２０ｂを副観察光線束２０ｃ、２０ｄから空間的に分離することが構造的に簡単な方式で実現されている。
【００３２】
偏向要素９における偏向後に（一対の）副観察光線束２０ｃ、２０ｄは、符号１０で示されている別の偏向要素に入射する。この偏向要素１０は、全体として、所定数の偏向コンポーネントから構成することができ、これらの偏向コンポーネントは、所謂２α歯車装置により連結されていて、それにより、回転軸線１３の周りで、図１に図示された図面から出てくる（一対の）副観察光線束２０ｃ、２０ｄの偏向が実現可能である。
【００３３】
図示されている偏向要素１０に代わり、所謂１８０度両眼鏡胴を受容する機械的なインターフェースを設けることもでき、その１８０度両眼鏡胴は原理的に同じ偏向を可能とするが、場合により補正すべき構造長を有している。更に助手用の観察系に対し、別個のズームシステム、並びに場合により別の偏向要素、画像直立のための反転システム、光線交換器、挿入フィルター、及び／又は人間工学的な光線偏向のための結像光学系を使用することもできる。本考案に従う立体顕微鏡の図示された実施例では、背景技術から知られているように回転軸線３１の周りの偏向要素１０の回動可能性を、回転軸線１３の周りの上述の回転に対して追加して又は選択肢として設けることも同様に可能である。
【００３４】
また、図示されている全ての偏向要素のために各々説明された実質的に９０度の偏向角度は単に例として選択されていることを指摘しておく。空間状況に応じ、それよりも小さい又は大きい偏向角度も必要不可欠であり又は所望とされ、この際、このことは全ての空間方向において実現可能であり、その結果、斜めに偏向させることも勿論可能である。
【００３５】
また、観察軸線１５、１７、１８、２３において主観察者２１及び副観察者２２が立体観察するための非図示の両眼鏡胴の前には、選択的に、これらの両眼鏡胴の顕微鏡ハウジング１に対する間隔を可変保持する所謂「引出式（ないしテレスコピック）延長機構(Auszugsverlaengerungen)」を設ける可能性もある。同様に観察軸線１５、１７、１８、２３において前記両眼鏡胴はこれらの軸線の周りで所謂「回転式ダブテール継手ないしスウィーベルジョイント(Drehschwalbe)」を介して有利には回転可能に固定可能である。
【００３６】
更に、上述の観察光線路内へ、図１ではまとめて例として符号８ａ、８ｂ、８ｃで示されている別の光学コンポーネントを取り付けることが可能である。これらの補助コンポーネント８は、図示されている箇所でそれぞれ選択的に使用することができる。この種のコンポーネントは、例えば中間結像や瞳の位置の移動をもたらすことができる。同様にこれらの要素は、光の流れを選択的に様々な組み合わせの可能性をもって互いに異なる観察経路内で遮断又は開放する絞りとすることもできる。この際、機械的な絞り、又は制御可能なエレクトロクロミック層を有するディスプレイを使用することができる。水平軸線に沿ってこれらのコンポーネントを並ばせることにより、従来の眼科用の立体助手用顕微鏡で認識されていた非人間工学的な大きすぎる構造高さを効果的に回避することができる。
【００３７】
ズームシステム７は、目的に適い、例えば、ほぼ５〜３０倍の範囲内の倍率（ほぼ拡大係数６に対応）を可能にするものが好ましく、この際、各観察経路は、目的に適い、少なくとも１つの光学グループは定置である少なくとも３つの光学グループから構成されている。更にそれらの観察経路は、上述のとおり互いに平行に配向されるべきである。
【００３８】
主対物レンズ２は、図１の実施例では、その光軸線１１に対して対称性をもって図示されている。しかし、主対物レンズ２を光軸線１１からずらして即ち偏心させて配置することも可能である。この対物レンズの光学修正は、好ましくは、二次スペクトル（ないし残存色収差）の特別な考慮のもとアクロマティック又はアポクロマティックである。
【００３９】
同様に、記録装置（例えばカメラ）を、典型的に両眼鏡胴が設けられている観察軸線にも装備することが基本的に可能であり、この際、別の光学分割器を使用することも同様に考えられる。
【００４０】
特に図１に関し（一対の）観察光線束２０ａ、２０ｂは（鉛直方向の経路上で）対象１６と第１偏向要素３０の間において同じ走行距離を進むことが明らかであり、その理由は、それらの観察光線束２０ａ、２０ｂが同じ高さで第１偏向要素３０に入射するためである。それに対し、対象１６と第１偏向要素３０の間で（一対の）観察光線束２０ｃ、２０ｄが進むべき距離は、第１偏向要素３０上の互いに違った高さの鉛直方向の入射点に基づき異なっていて、その結果、顕微鏡を通じてゆく更なる光線路の経過内で適切な補整が実行されなくてはならない。本考案に従い、この種の補整は、適切な数と配向の更なる偏向要素、本実施例では６ａ、６ｂ、６ｃにより実現され、その結果、例えば観察軸線２３への到達時には適切な距離補整の実行が終わっている。
【００４１】
既述したように第１偏向要素３０は、好ましくは物理的な光線分割器（ビームスプリッタ）として部分透過性をもって形成されている。この際、幾何学的な（ないし幾何学的形状を用いた）光線分割器としての実施例も考えられる。後続の段落では、説明の容易化のため、部分透過性のミラーとして形成されている物理的な光線分割器を扱うものとする。
【００４２】
図１では、第１偏向要素３０の上方に配置された第１照明装置５０が見てとれる。第１照明装置５０は、好ましくは面照明を提供し、光源として特にＯＬＥＤ（有機発光ダイオード）を用いて形成されている。第１照明装置５０は、主対物レンズ２の光軸線１１上に配置されていて、この際、光軸線１１は、第１照明装置５０に好ましくは中央で当たっている。ＯＬＥＤは、特に平坦に取り付け可能であり、その結果、人間工学的な理由から重要な立体顕微鏡１の高さを最小限に維持することができる。
【００４３】
できる限り均質な面照明を達成するために、第１照明装置５０は、例えば乳白ガラス板又はマイクロレンズアレーとして形成することのできる散光装置４０をもつこともできる。同様に、従来の照明手段ないし照明源をこの種の散光装置と共に照明装置として使用することも考えられる。
【００４４】
第１偏向要素３０が部分透過性をもって形成されていることにより、対象１６を、第１照明装置５０を用い、第１偏向要素３０及び主対物レンズ２を通じて照明することが可能であり、それにより０度照明（光軸線１１に対する角度が０度の照明）が提供され、この際、当該照明装置又は当該照明装置と協働する偏向要素が観察光線束２０ａ〜２０ｄ内へ突出し、結像品質を損なわせてしまうことはない。
【００４５】
眼球の観察時に赤色反射を最適な状態で表示するには、主対物レンズ２と眼球の水晶体１６ａとが第１照明装置５０からの光を眼球の網膜１６ｂないしその近傍に集束することを顧慮しなくてはならない。従って、特に面状で且つ拡散状の光を前記のように提供することとの組み合わせにより、赤色反射の特に効果的で且つ簡明的確な観察が可能である。
【００４６】
第１照明装置５０から出射する光は第１偏向要素３０において部分的に反射もされるので、この関連で場合により発生する非所望の光反射を吸収により防止する光トラップ７０を設けることが有意義である。同様に、この光をビーム化し、例えば別の照明装置の枠内で照明のために使用することも考えられる。
【００４７】
同様に、部分透過性の第１偏向要素３０で反射された光を、別の偏向要素を用いて対象１６の方向に向わせ、別の照明（例えば６度照明（光軸線１１に対する角度が６度の照明））の枠内で使用することも考えられる。この光は、第１偏向要素３０と主対物レンズ２の適切な偏向と寸法決定（ディメンショニング）により、部分透過性の第１偏向要素３０の側らを通り過ぎ、主対物レンズ２を通って対象１６へと向けられる。同様に、適切な寸法決定（ディメンショニング）により、この光を部分透過性の第１偏向要素３０と主対物レンズ２の側らを通り過ぎて対象１６へ向わせることも考えられる。（いずれも図示は省略）
【００４８】
同様に、光トラップ７０の箇所に、部分透過性の第１偏向要素３０において反射された光を適切に付設されたファイバケーブル内へ供給するレンズのアレーを配置することも考えられる。その後、この光を同様に別の照明装置に供給することが可能である。
【００４９】
この種の別の照明装置が符号３で示されている。この照明装置３は、例えばファイバケーブル４（又は特定数のファイバケーブル）を用い（非図示の）光源から提供された光を偏向要素３ａを介し、観察すべき対象１６へ配向させる。照明装置３の主軸線は符号１２で示されている。全体として照明装置３は、斜め照明（例えば所謂６度照明）を提供し、この斜め照明は、例えば眼科外科的な所定の観察又は手術では必要不可欠である。第１偏向要素３０を透過せずに反射される上記の光を、例えばこの別の照明装置３内へ提供することが可能である。（図示は省略）
【実施例２】
【００５０】
図２には、本考案に従う立体顕微鏡の別の好ましい一実施例が図示されていて、この実施例は、ここではまとめて符号６０と６５で示されている第１照明装置に関してのみ、図１の実施例と異なっている。
【００５１】
図２に従う０度照明を実行する第１照明装置は、光源６０を含んでいて、光源６０は、任意の適切なポジション、例えば顕微鏡本体１の外に配置することも可能である。光源６０を用いて提供された光は、ファイバケーブル６５を用い、第１偏向要素３０の上方の適切なポジションへ案内され、この際、ファイバケーブル６５の出射端部（概要的にだけ図示され、遠近的には図示されてなく、符号６５ａで示されている）から出射した光は、光軸線１１に沿ってないし光軸線１１と平行に、第１偏向要素３０と主対物レンズ２を通じて対象１６に向って放射される。この際、適切な特定数のファイバケーブル６５ないしファイバケーブル６５の適切な分割により、同様に、作用として面状の照明装置を提供することができ、この際、ここでも既述の散光装置を使用することができる。特に有利な方式では、各観察経路７ａ〜７ｄに固有の照明を割り当てることが可能である。このことは例えば、ファイバケーブル６５の出射端部が、主対物レンズ２と第１偏向要素３０の間で実質的に垂直方向に延在する観察光線路の延長線上に位置決めされることにより可能であり、その結果、これらの出射端部から出射する光がそれらの観察光線路に沿って主対物レンズ２を通過してゆく。同様に、ファイバケーブル６５のこの種の出射端部を、例えばｎ行ｍ列（ｎ、ｍ＝１、２、３、… の整数）を有するアレーに配置し、個々のファイバケーブルに選択的に光を供給することも可能である。上述のＬＥＤに対応し、例えば０度照明又は６度照明を提供するために面照明又は選択照明を達成することができる。ファイバケーブルの４つの出射端部を十字形状に配置する場合、各端部には各々の観察経路７ａ〜７ｄが割り当てられているが、特に有利な方式では、出射端部が主対物レンズ２の光軸線１１上に位置する５番目のファイバケーブルを設けることも可能である。
【００５２】
図２で図示されている顕微鏡の残りのコンポーネントは、図１で図示されているコンポーネントに対応し、それらについての説明は上記の説明を参照されたい。
【００５３】
本考案の全開示（請求の範囲を含む）の枠内において、さらにその基本的技術思想に基づいて、実施形態ないし実施例の変更・調整が可能である。また、本考案の請求の範囲の枠内において、種々の開示要素の多様な組み合わせないし選択が可能である。すなわち、本考案は、請求の範囲を含む全開示、技術的思想にしたがって当業者であればなし得るであろう各種変形、修正を含んでいることを付言する。
【符号の説明】
【００５４】
１    顕微鏡本体
２    主対物レンズ
３    照明装置
３ａ  偏向要素
４    ファイバケーブル
６ａ、６ｂ、６ｃ  偏向要素
７    ズームシステム
７ａ、７ｂ  （一対の）主観察経路
７ｃ、７ｄ  （一対の）副観察経路
８ａ、８ｂ、８ｃ  補助コンポーネント、選択的に例えば、フィルター、レーザーシャッター、ＳＤＩ、光学分割器、データ入射器など
９    副光線路（助手用光線路）のための偏向要素
１０    副光線路（助手用光線路）の旋回のための偏向要素
１１    主対物レンズの光軸線
１２    照明装置の軸線
１３    偏向要素１０の回転軸線
１５    観察軸線
１６    対象、特に眼球
１６ａ  眼球の水晶体
１６ｂ  眼球の網膜
１７    観察軸線
１８    観察軸線
２０ａ、２０ｂ  （一対の）主観察光線束
２０ｃ、２０ｄ  （一対の）副観察光線束
２１    主観察者（主執刀医）
２２    副観察者（助手）
２３    副観察軸線（助手用観察軸線）
２７    ズームシステムの中心軸線
３０    偏向要素
３１    軸線
４０    散光装置
５０    第１照明装置
６０    光源
６５    ファイバケーブル
６５ａ  出射端部
７０    光トラップ
【図１】
0003165462.tif 000003
【図２】
0003165462.tif 000004